(57)【要約】【課題】従来にあっては、個人撮影の優れた映像情報は世間へ未発表のまま放置されている。これは、簡単に使用できる家庭用映像音声合成装置が提供されていないためであり、また、世間へ発表するための放映ネットワークが確立されていないためである。【解決手段】個人が撮影した映像情報や音声の外部入力手段と編集手段を可能とした家庭用映像音声合成装置の提供と、専用ネットワークを有する管理センターを設立して、家庭用映像音声合成装置により作成された情報を集約、選別して契約先個人および団体に情報提供する。【選択図】　　　　図１
2004140768.tif 000002
【特許請求の範囲】
【請求項１】
個人が撮影した映像情報や関連した文字情報を記録する映像文字記録手段と、
音楽やナレーション等、音声の外部入力手段と、
スローモーション、シーンのカット、コマ送り等の制御手段を使用して編集可能とした家庭用映像音声合成装置。
【請求項２】
専用ネットワークを有する管理センターを設立して、家庭用映像音声合成装置により作成された情報を集約、選別して契約先個人および団体に情報提供することを特徴とする放映ネットワークシステム。
【発明の詳細な説明】
【０００１】
【発明の属する技術分野】
本発明は、個人が撮影収録した映像と音声を合成する装置と、合成された情報を送受信するための放映ネットワークシステムに関している。
【０００２】
【従来の技術】
従来は、家庭用ビデオカメラ等で撮影された映像を編集、合成するための専用の装置というものはなく、パソコンやその他の機材を使用して限られた範囲で編集、合成している。このためには、相当な知識や労力を必要とする。更に高度な合成作業は非常に困難であった。
【０００３】
また、従来は、個人が撮影、合成した作品を不特定多数の人に公開する手段が確立されていないため、優れた研究結果や記録も、個人の手元に死蔵されているのが現状である。
【０００４】
【発明の解決しようとする課題】
このように、従来にあっては、個人撮影の優れた映像情報は世間へ未発表のまま放置されている。これは、簡単に使用できる家庭用映像音声合成装置が提供されていないためであり、また、世間へ発表するための放映ネットワークが確立されていないためである。スポーツ、研究記録、趣味の記録、各種の調査内容、ドキュメンタリー、各地の紹介、映画、芝居等、各種の記録の発表の場を設けるために、個人や団体の使用できる専用放映ネットワークを確立する必要がある。公序良俗に反する記録の放映を制御し、役に立つ記録の発表を可能とするために、放映ネットワーク管理センターを設立し、契約により送受信を可能とし、契約金や広告費用により運営されることにより、採算ベースに乗せることができる。
【０００５】
【課題を解決するための手段】
本発明においては、家庭用映像音声合成装置に多種の機能を持たせている。ビデオカメラ、デジタルビデオカメラ、その他の撮影機材を使用して撮影した映像を合成装置に記憶させ、マイクや音声収録装置により収録した音声を合成装置に記憶させ、ステレオ機材からの音声を合成装置に記憶させてテレビモニターで映像と音声を検証することができる。この家庭用映像音声合成装置は送受信機能を有し、ネットワークを管理する管理センターへ映像音声を発信したり、管理センターから受信したりすることができる。
【０００６】
管理センターは、放映ネットワークを有し、受信した映像記録を選別して契約している個人および団体へ放映することができる。契約者と管理センターは電話回線、光ファイバー幹線、ＣＡＴＶ幹線、通信衛星等を使用して記録の送受信を行うことができるので、世界的ネットワークを形成することもできる。このように、契約制のネットワークを提供することで、管理センターは経営を行うことができ、契約者は個人や団体により提供された映像記録を楽しむことができる。
【０００７】
【発明の実施の形態】
以下、図面を参照して本発明の一実施例を説明する。
【０００８】
図１に示すように、家庭用映像音声合成装置１はビデオカメラ、デジタルビデオカメラ、その他の撮影機材２より映像記録を取り入れ、マイク３やステレオ機材４により音声記録を取り入れ、テレビモニター５で確認しながら編集し、管理センター６との間に双方向デジタル通信を行う。双方向デジタル通信は送受信機能７で示される電話回線、光ファイバー幹線、ＣＡＴＶ幹線等の独自のネットワーク接続であり、また、送受信機能８で示されるパラボラアンテナ９を経由して通信衛星１０による接続である。
【０００９】
撮影機材２のカメラで使用したテープ、ディスク、その他のメモリーを持ったカードやチップに記録された情報を家庭用映像音声合成装置１に入力する。家庭用映像音声合成装置１のＤＶＤ等に記録された録画をテレビモニター５で確認しながら編集する。
【００１０】
今後、家庭用映像音声合成装置１に対応する撮影機材２の開発が望まれ、現在、ＴＶゲームに使用されているカセットやカード式の記録媒体を使用して家庭用映像音声合成装置１と撮影機材２の双方に使用されるシステムとし、情報の記録と入力を単純化することが考えられる。合成作業については、手元で作動できるコントローラーの使用が適当である。パソコンのマウスやＴＶゲームのコントローラーの操作と同様に、少ない数のボタンや方向キーを用いることを主体として合成を行えば、合成に要する面倒で複雑な操作や手間が減り、簡単に利用できる。
【００１１】
家庭用映像音声合成装置１に具備される機能としては、字幕やテロップを使用して映像の内容を補足説明するための記号と文字情報があり、自在に映像をカットして必要な部分を取り入れ、一連のストーリーにするためのカットとつなぎが考えられる。
【００１２】
音声の外部入力としては、音楽（ＢＧＭ）には、ステレオ機材４などとの接続により、好みの楽曲を取り入れることのできるようにし、ナレーションには、マイク３を接続して撮影した映像に声を吹き込むことで、ドキュメントや研究の解説、芝居や映画のストーリーの説明や朗読が可能になる。
【００１３】
また、スポーツの試合の撮影では、実況放送や解説が可能になる。スローモーションやコマ送りを設けることにより、スポーツシーンや動物記録映画を撮影する場合、部分的にスローモーションやコマ送りで再生するように家庭用映像音声合成装置１に編集機能を設けることで、場面のワンシーンや、ドキュメント、研究について効果的に補足説明や解説ができる。
【００１４】
写真撮影用のカメラフイルムに、モノクロやセピアカラーが利用されているように、本発明になる家庭用映像音声合成装置１にフイルムを合成手段の一つとして利用することにより、映画等の場面を効果的に演出できる。
【００１５】
管理センター６は、放映ネットワークを有し、受信した映像記録を選別して契約している個人および団体へ放映することができる。本発明になる家庭用映像音声合成装置１を使用し、送受信契約をした契約者と管理センター６は電話回線、光ファイバー幹線、ＣＡＴＶ幹線、通信衛星等の送受信機能７，８を使用して記録の送受信を行う。契約制のネットワークを提供することで、管理センター６は経営を行うことができ、契約者は自分の成果を発表したり、他人より提供された成果の記録を楽しむことができる。
【００１６】
【発明の効果】
本発明になる家庭用映像音声合成装置を利用することにより、誰でも簡単に映像と音声の合成ができ、個人レベルでの映像、音声の合成（編集）技術の習得が可能となる。
【００１７】
個人が自分で撮影した映像を音声と合成して発表するネットワークを提供することで、合成技術が向上し、真剣に優れた作品を制作するようになるので、文化の向上に役立つ。
【００１８】
従来、目に触れなかった研究結果や記録が発表されるようになる。
【００１９】
個人レベルの情報の送受信が可能となれば、同じ趣味や研究テーマを持つ仲間と広く交流ができる。
【００２０】
新しい事業形態として、個人の発表する情報に対して各部門の専門チャンネルを設けた放映ネットワークを構築することができる。
【図面の簡単な説明】
【図１】本発明の一実施例に係わる構成を示す説明図である。
【符号の説明】
１　家庭用映像音声合成装置
２　撮影機材
３　マイク
４　ステレオ機材
５　テレビモニター
６　管理センター
７、８　送受信機能
９　パラボラアンテナ
１０　通信衛星
【図１】
2004140768.tif 000003